(57)【特許請求の範囲】
【請求項１】
通信路を介して接続された複数の光伝送装置を備え、前記複数の光伝送装置の相互間で伝送フレームを用いて通信を行うために、符号化前のｎ個の伝送フレームに対して、ｍ個の冗長フレームを付加したｎ＋ｍ個のフレーム数を符号化後の１シンボルの符号語として通信を行う光通信システムにおいて、
前記複数の光伝送装置の各々は、ＯＴＵｋフレーマを備え、
前記ＯＴＵｋフレーマは、前記符号化後の前記ｎ＋ｍ個のフレーム数をシンボル数とした誤り訂正符号を用いることにより、バースト誤りに対応した消失訂正を行い、
前記ＯＴＵｋフレーマは、
前記伝送フレームとして、ＩＴＵ−Ｔ  Ｒｅｃｏｍｍｅｎｄａｔｉｏｎ  Ｇ．７０９で定義されたＯＴＮフレームを適用し、
前記消失訂正に必要な符号化後のフレーム番号を、前記ＯＴＮフレームのＯＨ部に付加する
ことを特徴とする光通信システム。
【請求項２】
前記フレーム番号が付加されるＯＨ部は、ＭＦＡＳであることを特徴とする請求項１に記載の光通信システム。
【請求項３】
前記フレーム番号が付加されるＯＨ部は、ＦＡＳのうちのフレーム同期に使用していない箇所であることを特徴とする請求項１に記載の光通信システム。
【発明の詳細な説明】
【技術分野】
【０００１】
この発明は、ＯＴＮ（Ｏｐｔｉｃａｌ  Ｔｒａｎｓｐｏｒｔ  Ｎｅｔｗｏｒｋ）フレームのような連続した光伝送フレームを用いる光通信システムに関するものである。
【背景技術】
【０００２】
従来から、光通信システムにおいては、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  Ｓｔａｎｄａｒｄｉｚａｔｉｏｎ  Ｓｅｃｔｏｒ：電気通信標準化部門）Ｒｅｃｏｍｍｅｎｄａｔｉｏｎ  Ｇ．７０９に示されたＯＴＮフレームに誤り訂正符号を適用し、光ＳＮＲの劣化による信号品質劣化を補償して、長距離大容量伝送を実現する技術が提案されている（たとえば、非特許文献１参照）。
【０００３】
また、光通信の高速化にともない、位相変調などによる多値変調化と、デジタルコヒーレント光受信処理とを適用する技術も提案されている（たとえば、非特許文献２参照）。
【０００４】
一方、無線通信においては、パケット通信を行う際に、送信情報パケットに冗長パケットを付加することにより、受信側においてバーストエラーに起因して認識されないパケットが存在した場合でさえも、その消失したパケットを復号するための消失訂正技術が適用されている（たとえば、特許文献１参照）。
【０００５】
しかし、特許文献１に記載の消失訂正技術を光通信に応用した例は、これまで提案されることはなく、ＩＴＵ−Ｔ  Ｒｅｃｏｍｍｅｎｄａｔｉｏｎ  Ｇ．７０９などのＯＴＮフレームに適用されているＦＥＣ（Ｆｏｒｗａｒｄ  Ｅｒｒｏｒ  Ｃｏｒｒｅｃｔｉｏｎ：前方誤り訂正）においては、数フレームのような大きなバースト誤りに対応することができなかった。
【０００６】
近年では、たとえば衛星間通信を光で行う衛星間光通信分野が脚光を浴びている。その他にも、大きなバースト誤りに対応しなければならない分野への光通信事業の展開が今後期待されることから、消失訂正を光通信に適用可能にする必要がある。
【先行技術文献】
【特許文献】
【０００７】
【特許文献１】特開２００９−５５６０３号公報
【非特許文献】
【０００８】
【非特許文献１】ＩＴＵ−Ｔ  Ｒｅｃｏｍｍｅｎｄａｔｉｏｎ  Ｇ．７０９
【非特許文献２】「Ｃｙｃｌｅ  Ｓｌｉｐ  Ｐｒｏｂａｂｉｌｉｔｙ  ｉｎ  １００Ｇ  ＰＭ−ＱＰＳＫ  Ｓｙｓｔｅｍｓ」，ＯＷＥ２，ＯＦＣ／ＮＦＯＦＣ  ２０１０．
【発明の概要】
【発明が解決しようとする課題】
【０００９】
従来の光通信システムは、波長多重通信システムの多波長化や伝送速度の高速化の進展にともない、偏波モード分散や非線形光学効果による信号品質劣化が無視することができなくなってきており、また、これらの信号劣化によって大きなバースト誤りが発生することから、たとえば非特許文献１に記載の誤り訂正符号では訂正できない場合があるという課題があった。
【００１０】
また、たとえば非特許文献２に記載のデジタルコヒーレント光受信技術の進展により、伝送信号の多値化が進んでいるものの、多値信号の位相推定に起因する位相スリップにより、位相変位変調（ＰＳＫ）などに適用される差動符号化が行われていない場合には、大きなバースト誤りが発生し、特に、衛星と地上との間の光空間通信システムなどでは、大気の状態により著しく伝送品質が変動してバースト誤りが発生するという課題があった。
【００１１】
また、従来のＩＴＵ−Ｔ  Ｒｅｃｏｍｍｅｎｄａｔｉｏｎ  Ｇ．７０９に記載のＯＴＮフレームにおいては、ＦＥＣが適用されて誤り訂正を行うが、ＦＥＣは数１０００ビット〜数フレームにわたるような大きなバースト誤りに対応することができないという課題があった。
【００１２】
さらに、特許文献１に記載の技術においては、たとえば、低密度パリティ検査（ＬＤＰＣ：Ｌｏｗ−Ｄｅｎｓｉｔｙ  Ｐａｒｉｔｙ−Ｃｈｅｃｋ）符号を用いてパケットデータに冗長性を付加して消失訂正を実現しているが、連続した信号を伝送するＯＴＮフレームには実現できないという課題があった。
【００１３】
この発明は、上記のような課題を解決するためになされたものであり、ＯＴＮフレームのような連続した光伝送フレームを用いる光通信システムにおいて、高品質で高速且つ大容量の通信を実現した光通信システムを得ることを目的とする。
【課題を解決するための手段】
【００１４】
この発明に係る光通信システムは、通信路を介して接続された複数の光伝送装置を備え、複数の光伝送装置の相互間で伝送フレームを用いて通信を行うために、符号化前のｎ個の伝送フレームに対して、ｍ個の冗長フレームを付加したｎ＋ｍ個のフレーム数を符号化後の１シンボルの符号語として通信を行う光通信システムにおいて、複数の光伝送装置の各々は、ＯＴＵｋフレーマを備え、ＯＴＵｋフレーマは、符号化後のｎ＋ｍ個のフレーム数をシンボル数とした誤り訂正符号を用いることにより、バースト誤りに対応した消失訂正を行い、ＯＴＵｋフレーマは、伝送フレームとして、ＩＴＵ−Ｔ  Ｒｅｃｏｍｍｅｎｄａｔｉｏｎ  Ｇ．７０９で定義されたＯＴＮフレームを適用し、消失訂正に必要な符号化後のフレーム番号を、ＯＴＮフレームのＯＨ部に付加するものである。
【発明の効果】
【００１５】
この発明によれば、消失訂正技術を適用して、大きなバーストエラーを訂正することにより、高品質で高速且つ大容量の通信を実現することができる。
【図面の簡単な説明】
【００１６】
【図１】この発明の実施の形態１に係る光通信システムを概略的に示すブロック構成図である。
【図２】図１内の光伝送装置の詳細機能を示すブロック構成図である。
【図３】この発明の実施の形態１による動作を示す説明図である。
【図４】この発明の実施の形態１が適用されるＯＴＵｋフレームの構造を示す説明図である。
【図５】図４内のＯＨ部を拡大して示す説明図である。
【図６】この発明の実施の形態２によるフレーム番号表示動作を示す説明図である。
【図７】この発明の実施の形態３が適用されるＦＡＳＯＨの構造を具体的に示す説明図である。
【発明を実施するための形態】
【００１７】
実施の形態１．
図１はこの発明の実施の形態１に係る光通信システムを概略的に示すブロック構成図である。
図１において、光通信システムは、クライアント信号Ｓｃを送受信する光伝送装置１、２と、光伝送装置１と光伝送装置２との間に挿入されて光信号Ｓｏを伝送する光ファイバなどの通信路３とを備えている。
【００１８】
光伝送装置１、２は、クライアント信号Ｓｃと光信号Ｓｏとの間の相互変換処理として、たとえば、クライアント信号Ｓｃと光伝送フレームとのマッピング処理およびデマッピング処理と、誤り訂正符号化処理および復号処理と、電気／光（Ｅ／Ｏ）変換処理および光／電気（Ｏ／Ｅ）変換処理とを行い、通信路３を介して、光伝送装置１、２の相互間での双方向通信を行う。
【００１９】
図２は図１内の光伝送装置１、２の詳細機能を示すブロック構成図である。
図２においては、代表的に、図１内の一方の光伝送装置１の構成を示しているが、他方の光伝送装置２の構成も図２と同様であり、上下に示す送受信関係が逆になっているのみである。
【００２０】
図２において、光伝送装置１は、クライアント信号Ｓｃの送受信側に配置されたＯＴＵｋ（Ｏｐｔｉｃａｌ  ｃｈａｎｎｅｌ  Ｔｒａｎｓｐｏｒｔ  Ｕｎｉｔ−ｋ）フレーマ１０と、光信号Ｓｏの送受信側に配置された光トランシーバ２０とにより構成されている。
【００２１】
ＯＴＵｋフレーマ１０は、クライアント信号ＳｃをＳＦＩ（Ｓｅｒｄｅｓ  Ｆｒａｍｅｒ  Ｉｎｔｅｒｆａｃｅ）信号Ｓｆとして他方の光伝送装置２に送信するためのＯＴＵｋフレーム生成部１１と、光伝送装置２からのＳＦＩ信号Ｓｆをクライアント信号Ｓｃとして受信するためのＯＴＵｋフレーム終端部１４とを備えている。
【００２２】
ＯＴＵｋフレーム生成部１１は、消失訂正符号化部１２および誤り訂正符号化部１３を備えており、クライアント信号Ｓｃ（送信信号）をＯＴＵｋフレームにマッピングし、フレーム同期や保守制御に必要な情報を付加して光伝送フレームを生成し、ＳＦＩ信号Ｓｆとして光トランシーバ２０に送信する。
【００２３】
ＯＴＵｋフレーム終端部１４は、誤り訂正復号部１５および消失訂正復号部１６を備えており、光トランシーバ２０により受信される光伝送装置２からのＳＦＩ信号Ｓｆに対して、フレーム同期や保守制御に必要な情報を終端し、クライアント信号Ｓｃ（受信信号）をＯＴＵｋフレームからデマッピングして出力する。
【００２４】
このとき、ＯＴＵｋフレーム終端部１４内の誤り訂正復号部１５は、前述のＩＴＵ−Ｔに記載されたＦＥＣを適用することによりランダム誤りを訂正する。
なお、誤り訂正復号部１５において誤り訂正しきれなかったフレームについては、誤り訂正復号部１５から消失訂正復号部１６に対して訂正不可フラグＦＬを通知する。
これにより、消失訂正復号部１６は、訂正不可フラグＦＬが立っているフレーム位置およびフレーム番号から、何番目のフレームが消失しているかを判断して、消失訂正復号を行う。
【００２５】
光トランシーバ２０は、送信側に挿入されたＤ／Ａ（デジタル／アナログ）変換部２１およびＥ／Ｏ（電気／光）変換部２２と、受信側に挿入されたＯ／Ｅ（光／電気）変換部２３およびＡ／Ｄ変換部２４とを備えている。
【００２６】
Ｄ／Ａ変換部２１は、ＯＴＵｋフレーマ１０内の誤り訂正符号化部１３からのＳＦＩ信号Ｓｆ（送信信号）に対してＤ／Ａ変換を施し、アナログ信号を生成する。
Ｅ／Ｏ変換部２２は、Ｄ／Ａ変換部２１からのアナログ信号を光信号Ｓｏ（送信信号）に変換して、光信号Ｓｏ（送信信号）を通信路３に出力する。
【００２７】
Ｏ／Ｅ変換部２３は、通信路３からの光信号Ｓｏ（受信信号）をアナログ信号に変換する。
Ａ／Ｄ変換部２４は、Ｏ／Ｅ変換部２３からのアナログ信号に対してＡ／Ｄ変換を施し、デジタル信号からなるｑビットの軟判定受信データ（受信信号）を生成して、ＯＴＵｋフレーマ１０内の誤り訂正復号部１５に入力する。
【００２８】
図３はこの発明の実施の形態１による動作を示す説明図であり、光伝送装置１、２内の消失訂正符号化部１２および消失訂正復号部１６での処理前後の送信情報および受信情報の伝送フレーム構成を示している。
【００２９】
図４はこの発明の実施の形態１が適用されるＯＴＵｋフレームの構造を示す説明図であり、公知（たとえば、前述の非特許文献１参照）のＯＴＵｋフレーム構造を示している。
また、図５は図４内のＯＨ（ＯｖｅｒＨｅａｄ：オーバヘッド）部４０を拡大して示す説明図である。
【００３０】
図３において、たとえば光伝送装置１内の消失訂正符号化部１２（図２参照）は、符号化前のｎ個（ｎ＝５）の伝送フレーム（ＯＴＵｋフレーム＃１〜＃５）に対して、消失訂正の符号化を施すためのｍ個（ｍ＝４）の冗長フレーム（＃６〜＃９）を付加し、符号化後のｎ＋ｍ個（ｎ＋ｍ＝９）のフレーム数を１シンボルの符号語（送信情報）とする。
【００３１】
一方、光伝送装置２で受信される受信情報は、バーストエラーの発生により、復号化前においては、たとえばＯＴＵｋフレーム＃２、＃５、＃７が消失しているが、光伝送装置２内の消失訂正復号部１６（図２参照）により、消失していないＯＴＵｋフレーム＃１、＃３、＃４、＃６、＃８、＃９を用いて、送信したｎ個（ｎ＝５）の伝送フレームを再生する。
【００３２】
図３に示すように、光伝送装置１は、ｎ個の伝送フレームにｍ個の冗長フレームを付加して、光伝送装置２との間で、符号語の１シンボルと見なした通信を行う。
ここでは、一例として、５個の伝送フレームと４個の冗長フレームとにより１シンボルを構成する伝送フレームを示しているが、ｎ、ｍの値は任意に設定可能である。
【００３３】
図４において、ＯＴＵｋフレームは、クライアント信号Ｓｃのような実際の通信データを格納するためのペイロード（Ｐａｙｌｏａｄ）３０（２３８×１６バイト）と、ＯＨ部４０（１６バイト）とにより構成されている。
また、ＯＴＵｋフレームは、伝送後の光信号Ｓｏの品質劣化に起因したビット誤りを訂正するための誤り訂正符号の情報を格納するＦＥＣ冗長領域５０（１６×１６バイト）を有している。
【００３４】
ＯＨ部４０は、フレーム同期のためのＦＡＯＨ（Ｆｒａｍｅ  Ａｌｉｇｎｍｅｎｔ  ＯｖｅｒＨｅａｄ）４１と、保守監視情報のためのＯＴＵｋＯＨ４２およびＯＤＵｋＯＨ（Ｏｐｔｉｃａｌ  ｃｈａｎｎｅｌ  Ｄａｔａ  Ｕｎｉｔ−ｋ  ＯｖｅｒＨｅａｄ）４３と、ペイロード３０をマッピングするためのＯＰＵｋＯＨ（Ｏｐｔｉｃａｌ  ｃｈａｎｎｅｌ  Ｐａｙｌｏａｄ  Ｕｎｉｔ−ｋ  ＯｖｅｒＨｅａｄ）４４とにより構成されている。
【００３５】
図４に示すように、光通信システムにおいては、伝送フレームとして、実際に送信したい情報データであるペイロード３０に、ＯＨ部４０およびＦＥＣ冗長領域５０（誤り訂正符号）を付加したＯＴＵｋフレームを形成し、これを高速かつ長距離に伝送している。
通常、誤り訂正符号としては、公知のＲＳ（リード・ソロモン）符号（２５５，２３９）が用いられる。
【００３６】
図５において、ＯＨ部４０内のＦＡＯＨ４１は、ＦＡＳ（Ｆｒａｍｅ  Ａｌｉｇｎｍｅｎｔ  Ｓｉｇｎａｌ）ＯＨ４５と、ＭＦＡＳ（Ｍｕｌｔｉｆｒａｍｅ  Ａｌｉｇｎｍｅｎｔ  Ｓｉｇｎａｌ）ＯＨ４６とにより構成されている。
ＦＡＳＯＨ４５は、行（Ｒｏｗ）番号「１」、列（Ｃｏｌｕｍｎ）番号「１〜６」に定義され、ＭＦＡＳＯＨ４６は、行番号「１」、列番号「７」に定義されている。
【００３７】
ＯＴＵｋＯＨ４２は、行番号「１」、列番号「８〜１４」に定義され、ＯＤＵｋＯＨ４３は、行番号「２〜４」、列番号「１〜１４」に定義され、ＯＰＵｋＯＨ４４は、行番号「１〜４」、列番号「１５、１６」に定義されている。
【００３８】
この発明の実施の形態１（図２）において、ＯＴＵｋフレーマ１０内の消失訂正符号化部１２は、図４、図５に示すＯＴＵｋフレームのＯＨ部４０にフレーム番号を付加する。すなわち、図５に示すＦＡＯＨ４１内のＭＦＡＳＯＨ４６（Ｂｙｔｅ７：バイト番号７）にフレーム番号を付加する。
【００３９】
次に、図３〜図５を参照しながら、図１、図２に示したこの発明の実施の形態１による具体的な動作について説明する。
ＦＥＣ（前方誤り訂正）による誤り訂正は、それぞれのＯＴＵｋフレームにおいて行われるが、ここでは、誤り訂正処理によっても訂正しきれない程度のバーストエラーが発生した場合を考える。
【００４０】
図３においては、ＯＴＵｋフレーム＃２、＃５、＃７がエラーによって消失されている（誤り訂正不可である）ものとし、消失訂正復号部１６の機能により、消失していないＯＴＵｋフレーム＃１、＃３、＃４、＃６、＃８、＃９を用いて、送信した伝送フレームを再生され得るものする。
【００４１】
このとき、ＯＴＵｋフレーマ１０において、消失したフレーム番号および消失せず復号されたフレーム番号を認識する必要性が生じる。
たとえばＩＴＵ−Ｔで定義されていた従来のＯＴＵｋフレーマでは、消失訂正のためのフレーマ番号を付加することがなかったが、この発明の実施の形態１によるＯＴＵｋフレーマ１０（図２内の消失訂正符号化部１２）の場合は、上述のように、ＯＴＵｋフレームのＯＨ部４０（図５内のＭＦＡＳＯＨ４６）にフレーム番号を付加する。
【００４２】
すなわち、ＯＴＵｋフレーマ１０内ＯＴＵｋフレーム生成部１１は、ＭＦＡＳＯＨ４６を書き換えることにより、伝送フレーム数ｎおよび冗長フレーム数ｍ（図３参照）からなるｎ＋ｍ個のＯＴＵｋフレーム＃１〜＃ｎ＋ｍ（または、＃０〜＃ｎ＋ｍ−１）を、新たにフレームごとに割り当てる。
【００４３】
このとき、１シンボルと見なした符号語が送信されるごとに、ＭＦＡＳＯＨ４６の値は、たとえば「００００００００」（または、「０００００００１」）に初期化される。
光伝送装置１（または、光伝送装置２）で受信された信号において、ＭＦＡＳＯＨ４６の位置に示されている番号が、伝送フレームのフレーム番号である。
【００４４】
これにより、ＯＴＵｋフレーマ１０内の消失訂正復号部１６は、フレーム番号が消失していないフレームを用いることにより、フレーム番号が消失している伝送フレームの消失訂正を行うことが可能となる。
【００４５】
以上のように、この発明の実施の形態１（図１〜図５）に係る光通信システムは、通信路３を介して接続された複数の光伝送装置１、２を備え、複数の光伝送装置１、２の相互間で伝送フレームを用いて通信を行うために、ｎ個の伝送フレームにｍ個の冗長フレームを付加したフレーム数を１シンボルの符号語として通信を行う。
【００４６】
複数の光伝送装置１、２の各々は、ｎ＋ｍ個のフレーム数をシンボル数とした誤り訂正符号を用いることにより、バースト誤りに対応した消失訂正を行うＯＴＵｋフレーマ１０を備えている。
【００４７】
ＯＴＵｋフレーマ１０は、伝送フレームとして、ＩＴＵ−ＴＲｅｃｏｍｍｅｎｄａｔｉｏｎＧ．７０９で定義されたＯＴＮフレームを適用し、消失訂正に必要な符号化後のフレーム番号をＯＴＮフレームのＯＨ部４０内のＭＦＡＳＯＨ４６に付加する。
【００４８】
このように、ＯＴＮフレームのような連続した光伝送フレームを用いる光通信システムにおいて、消失訂正技術を適用して、大きなバーストエラーを訂正することにより、高品質で高速且つ大容量の通信を実現することができる。
特に、数１０００ビット〜数フレームにもおよびバーストエラーへの対応が必要な場合に有用である。
【００４９】
実施の形態２．
なお、上記実施の形態１では、ＯＨ部４０内のＭＦＡＳＯＨ４６にフレーム番号を付加したが、別途にフレーム番号を付加することなく、図６のようにフレームごとにインクリメントされるという、定義されたままのＭＦＡＳＯＨ４６の動作を用いてフレーム番号を表示してもよい。
【００５０】
図６はこの発明の実施の形態２によるフレーム番号表示手順を示す説明図であり、通常、ＩＴＵ−Ｔ  Ｒｅｃｏｍｍｅｎｄａｔｉｏｎ  Ｇ．７０９の定義においては、図６に示したように、ＭＦＡＳＯＨ４６がフレームごとにインクリメントを繰り返す。
【００５１】
図６に示すように、列番号「７」に定義された１バイト（＝８ビット）のＭＦＡＳＯＨ４６においては、ＯＴＵｋフレームおよびＯＤＵｋフレームごとに、「００００００００」〜「１１１１１１１１」までインクリメントされることにより、２５６（＝２＾８）フレームのマルチフレームが生成される。
【００５２】
したがって、この発明の実施の形態２においては、ＭＦＡＳＯＨ４６へのフレーム番号付加処理に代えて、定義された上記通常動作を用いてフレーム番号を表示する。
すなわち、図３に示すように、ＯＴＵｋフレーム生成部１１による符号語は、伝送フレームと冗長フレームとの和「ｎ＋ｍ」で表示されるが、たとえば８の倍数といったＭＦＡＳＯＨ４６のインクリメントによって表示可能なフレーム数に符号語を設定する。
これにより、たとえば、ＭＦＡＳＯＨ４６を用いたマルチフレーム（２５６）の表示とともに、消失訂正用のフレーム番号を表示することができる。
【００５３】
実施の形態３．
なお、上記実施の形態１、２（図１〜図６）では、フレーム数を表示するためにＭＦＡＳＯＨ４６を用いたが、ＦＡＳＯＨ４５内のフレーム同期に使用しない箇所を用いてもよい。
図７はこの発明の実施の形態３が適用されるＦＡＳＯＨ４５の構造を具体的に示す説明図である。
図７において、行番号「１」、列番号「１〜６」に定義されたＦＡＳＯＨ４５は、バイト番号１〜７のＦＡＳＯＨ（Ｂｙｔｅ１）〜ＦＡＳＯＨ（Ｂｙｔｅ７）からなり、ＦＡＳＯＨ（Ｂｙｔｅ１〜Ｂｙｔｅ３）には、ＯＡ１として「１１１１０１１０」が定義され、ＦＡＳＯＨ（Ｂｙｔｅ４〜Ｂｙｔｅ６）には、ＯＡ２として「００１０１０００」が定義されているものとする。
【００５４】
ＦＡＳＯＨ（Ｂｙｔｅ１〜Ｂｙｔｅ６）のうち、ＦＡＳＯＨ（Ｂｙｔｅ３、Ｂｙｔｅ４）は、フレーム同期に必ず使用され、ＦＡＳＯＨ（Ｂｙｔｅ２、Ｂｙｔｅ５）は、フレーム同期に使用される可能性があり、ＦＡＳＯＨ（Ｂｙｔｅ１、Ｂｙｔｅ６）は、フレーム同期に使用されることがない。
【００５５】
したがって、この発明の実施の形態３においては、図７に示すＦＡＳＯＨ（Ｂｙｔｅ１〜Ｂｙｔｅ６）のうち、フレーム同期に使用されないＦＡＳＯＨ（Ｂｙｔｅ１、Ｂｙｔｅ６）を用いてフレーム番号を表示する。
【００５６】
以上のように、この発明の実施の形態３によれば、ＦＡＳＯＨ４５内のフレーム同期に使用しない箇所、たとえば、図７内のＦＡＳＯＨ（Ｂｙｔｅ１、Ｂｙｔｅ６）を使用してフレーマ番号を付加することにより、ＭＦＡＳＯＨ４６を用いずに、消失訂正のフレーマ番号を表示することができる。
【００５７】
実施の形態４．
なお、上記実施の形態１〜３（図１〜図７）では、フレーム数を表示するためにＭＦＡＳＯＨ４６またはＦＡＳＯＨ４５を用いたが、ＯＨ部４０内の他の領域、すなわちＯＴＵｋＯＨ４２、ＯＤＵｋＯＨ４３またはＯＰＵｋＯＨ４４のいずれかのフレーム同期に使用しない箇所を用いてもよい。
【００５８】
このように、ＩＴＵ−Ｔ  Ｒｅｃｏｍｍｅｎｄａｔｉｏｎ  Ｇ．７０９で定義されたＯＨ部４０において、上記実施の形態１〜３で用いた領域（ＦＡＳＯＨ４５、ＭＦＡＳＯＨ４６）以外の、定義されていない領域に、消失訂正用のフレーマ番号を付加することにより、前述と同様の作用効果を奏することができる。
【符号の説明】
【００５９】
１  光伝送装置、２  光伝送装置、３  通信路、１０  ＯＴＵｋフレーマ、１１  ＯＴＵｋフレーム生成部、１２  消失訂正符号化部、１３  誤り訂正符号化部、１４  ＯＴＵｋフレーム終端部、１５  誤り訂正復号部、１６  消失訂正復号部、２０  光トランシーバ、２１  Ｄ／Ａ変換部、２２  Ｅ／Ｏ変換部、２３  Ｏ／Ｅ変換部、２４  Ａ／Ｄ変換部、３０  ペイロード、４０  ＯＨ部、４１  ＦＡＯＨ、５０  ＦＥＣ冗長領域、ＦＬ  訂正不可フラグ、ｍ  冗長フレーム数、ｎ  伝送フレーム数、Ｓｃ  クライアント信号、Ｓｏ  光信号。
【図１】
0005641982.tif 000002
【図２】
0005641982.tif 000003
【図３】
0005641982.tif 000004
【図４】
0005641982.tif 000005
【図５】
0005641982.tif 000006
【図６】
0005641982.tif 000007
【図７】
0005641982.tif 000008